(57)【要約】      （修正有）【課題】タイヤとホイールとの間に均一に配置され、衝撃吸収性能に優れ、且つ走行時においても変形し難く、安定した走行が可能なラジオコントロールカー用のタイヤ充填材を提供する。【解決手段】ラジオコントロールカーのタイヤホイール２０の外周面部に装着され、上記タイヤホイールとタイヤ２１との間に配置されるタイヤ充填材１０であって、ゲル化したポリウレタンを、モールド内で発泡させて型成形することによって形成された発泡ポリウレタン部材から形成する。【選択図】図２
0003158859.tif 000002
【実用新案登録請求の範囲】
【請求項１】
ラジオコントロールカーのタイヤホイールの外周面部に装着され、上記タイヤホイールとタイヤとの間に配置されるタイヤ充填材であって、
ゲル化したポリウレタンを、モールド内で発泡させて型成形することによって形成された発泡ポリウレタン部材からなることを特徴とするタイヤ充填材。
【請求項２】
上記タイヤ充填材は、所定の厚さ寸法を有する筒体に形成され、
上記筒体の内周面部における幅方向には、所定の幅寸法に亘る段部が、周方向に沿って形成されると共に、上記段部の幅方向中央部には、周方向に沿って溝部が形成されていることを特徴とする請求項１記載のタイヤ充填材。
【請求項３】
上記筒体の外周面部には、周方向に沿った山部が、幅方向に沿って所定間隔離間して複数形成されていることを特徴とする請求項２記載のタイヤ充填材。
【請求項４】
上記タイヤ充填材は、任意の上記溝部において周方向に沿って切断することにより、幅方向寸法を変更することが可能であることを特徴とする請求項３記載のタイヤ充填材。
【考案の詳細な説明】
【技術分野】
【０００１】
本考案はラジオコントロールカーのタイヤとタイヤホイールとの間に配置され、走行時のタイヤへの衝撃を吸収するラジオコントロールカーのタイヤ充填材に関する。
【背景技術】
【０００２】
ラジオコントロールカーとは、無線によって遠隔操作が可能な車体模型の総称であり、その種類は実用車から子供向けの玩具品まで多岐多用に亘っている。
近年、オフロードカー、レーシングカー等の実車を１／８〜１／１０に精巧に縮尺したラジオコントロールカーを用いたレースが、スポーツの一つとして盛んに行われている。
上記レースは、オンロードもしくはオフロードの専用のレース設備にて行われ、「日本モデルラジオコントロールカー協会（ＪＭＲＣＡ）によって、車体、タイヤ、燃料等に関して詳細なレギュレーションが定められている。
【０００３】
上記ラジオコントロールカーは、玩具の域を超えた高い品質が求められ、実車と同様、若しくは、レース用のラジオコントロールカー専用としての、より高度な耐久性、走行性が求められている。
【０００４】
また、タイヤ部は、ゴム製のタイヤ本体と、樹脂製のホイールとの間に衝撃吸収用部材からなるタイヤ充填材が配置された構造となっているが、走行時においては、約４千ＲＰＭという高速回転に耐え得ると共に、オフロードコース等の悪路から受ける強い衝撃を柔軟に吸収し、車軸、車体の損傷を防止する必要があるため、上記タイヤ充填材の選択は非常に重要である。
【０００５】
従来、上記タイヤ充填材には、スポンジ状の発泡ポリウレタンを円筒状にくりぬいた形態のものが使用されていた。
上記タイヤ充填材の場合、タイヤとホイールとの間に手指を用いて押し込むことによって挿入されていたことから、タイヤとホイールとの間で均一な状態で配置されず、また全体的に非常に柔らかい為、捩れやヨレが生じ易く、衝撃吸収性が均一とならないという不具合を有していた。
また、上記捩れ等によってタイヤの硬さ場所によって変化し、安定した走行ができなくなるという不具合を有していた。
【０００６】
また、スポンジ状であることから、内部の気泡が比較的大きく、タイヤが高速で回転した場合には、気泡内部の空気が遠心力によってふくらみ、タイヤの内部において径方向外方に大きく膨らんでしまうことから、タイヤが変形し、コーナリング走行などにおいて、安定した走行が更に行い難くなるという別の不具合をも有していた。
【考案の開示】
【考案が解決しようとする課題】
【０００７】
本考案の解決する課題は、タイヤとホイールとの間に均一に配置され、衝撃吸収性能に優れ、且つ走行時においても変形し難く、安定した走行が可能なタイヤ充填材を提供することにある。
【課題を解決するための手段】
【０００８】
上記課題を解決するために、請求項１に記載した考案に係るタイヤ充填材は、ラジオコントロールカーのタイヤホイールの外周面部に装着され、上記タイヤホイールとタイヤとの間に配置されるタイヤ充填材であって、ゲル化したポリウレタンを、モールド内で発泡させて型成形することによって形成された発泡ポリウレタン部材からなることを特徴とする。
【０００９】
ポリウレタンを一旦ゲル化した後に、モールド内にて発泡させて成形するため、従来のスポンジ状の充填材と比較して、タイヤホイール及びタイヤ内部の形状によりフィットし易い。
また、スポンジ部材よりも硬く、定形性が高く、且つ内部の気泡が細かく且つ密な状態であるため、衝撃吸収性が大きくなる。
【００１０】
また、請求項２に記載した考案に係るタイヤ充填材は、所定の厚さ寸法と、上記タイヤに収納されうる幅寸法を有する筒体に形成され、上記筒体の内周面部における幅方向には、所定の幅寸法に亘る段部が、周方向に沿って形成されると共に、上記凸部の幅方向中央部には、周方向に沿って溝部が形成されていることを特徴とする。
【００１１】
一般的に、タイヤホイールは円筒形に形成され、外周面部の幅方向両端部には、周方向に沿って凸部が形成されている。
上記タイヤ充填材の段部の幅寸法は、上記凸部の離間寸法に合わせて形成され、上記タイヤ充填材をタイヤホイールに装着した場合に、上記段部が上記凸部に嵌合して固定されるように形成されている。
また、上記タイヤホイールの外周面部には、径方向に貫通する空気逃がし用孔部が形成されている。
上記溝部は上記孔部と連通し、タイヤ充填材が押圧された場合に発生する空気を、上記孔部を介して外部に流出させる。
【００１２】
また、請求項３に記載した考案に係るタイヤ充填材は、上記筒体の外周面部には、周方向に沿った山部が、幅方向に沿って所定間隔離間して複数形成されていることを特徴とする。
【００１３】
従って、上記タイヤ充填材の外周面部と、タイヤの内周面部とは、上記山部の頂点によって線接触の状態で当接する。
【００１４】
また、請求項４に記載した考案に係るタイヤ充填材は、任意の上記溝部において周方向に沿って切断することにより、幅方向寸法を変更することが可能であることを特徴とする。
【００１５】
従って、タイヤ及びタイヤホイールの幅寸法に従って、適宜に切断して使用する。
【考案の効果】
【００１６】
請求項１の考案にあっては、タイヤ充填材がゲル化したポリウレタンを、モールド内で発泡させて型成形することによって形成された発泡ポリウレタン部材からなることから、形状安定性に優れ、タイヤとホイールとの間に均一に配置されるため、全域で高い衝撃吸収性能を有し、且つ走行時においても変形し難く、安定した走行が可能なタイヤ充填材を提供することができる。
【００１７】
また、請求項２の考案にあっては、所定の厚さ寸法と、上記タイヤに収納されうる幅寸法を有する筒体に形成され、上記筒体の内周面部における幅方向には、所定の幅寸法に亘る段部が、周方向に沿って形成されると共に、上記凸部の幅方向中央部には、周方向に沿って溝部が形成されていることから、請求項１の効果に加え、上記溝部から上記孔部を介して空気が出入り可能であるため、タイヤの受けた衝撃をより効率的に吸収することができる。
【００１８】
また、請求項３の考案にあっては、上記タイヤ充填材の外周面部と、タイヤの内周面部とは、山部の頂点によって線接触の状態で当接するため、面全体で接触する場合と比較して柔軟であり、衝撃吸収性がより優れている。
【００１９】
また、請求項４の考案にあっては、任意の上記溝部において周方向に沿って切断することにより、幅方向寸法を変更することが可能であることから、タイヤ及びホイールのレギュレーションに応じて自在に変更することが可能である。
【図面の簡単な説明】
【００２０】
【図１】本考案の一実施の形態を示し、実施例の形態におけるタイヤ充填材の（ａ）は正面図及び（ｂ）は（ａ）の径方向断面図である。
【図２】本考案の一実施の形態を示し、実施例の形態において、タイヤとタイヤホイールとタイヤ充填材を分解した状態を示す斜視図である。
【図３】本考案の一実施の形態を示し、実施例の形態において、タイヤ充填材をタイヤとタイヤホイールの間に装着した状態を示す径方向断面図である。
【考案を実施するための最良の形態】
【００２１】
本考案を実施するための形態について添付図面を用いて説明する。
図１に示すように、本実施例に係るタイヤ充填材１０は、ゲル化したポリウレタンを、モールド内で発泡させて型成形することによって形成された発泡ポリウレタン部材からなり、所定の厚さ寸法を有する筒体１１で形成され、上記筒体１１の内周面部１２における幅方向には、所定の幅寸法に亘る段部１３が、周方向に沿って形成されると共に、上記段部１３の幅方向中央部には、周方向に沿って溝部１４が形成されている。
また、上記筒体１１の外周面部１５には、周方向に沿った山部１６，１６，１６が幅方向に沿って複数形成されている。
【実施例１】
【００２２】
本実施例の構成について、以下図面を用いて説明する。
図１（ａ）は本実施例に係るタイヤ充填材１０の正面図、（ｂ）は（ａ）の径方向断面図を示している。
図１に示すように本実施例におけるタイヤ充填材１０は、日本モデルラジオコントロールカー協会（ＪＭＲＣＡ）の規定する１／１０モデルのレギュレーションのタイヤ及びタイヤホイールに装着可能な寸法に形成されている。
本実施例においては、外形寸法約８０ｍｍ、内径寸法約６０ｍｍ、段部１３の頂上部１３ａにおける内径寸法約５４ｍｍ、幅約３９ｍｍに形成されている。
但し、レギュレーション内であれば、上記寸法は自由に設計変更可能であり、
また１／１０スケール等においては、当該スケールにおけるレギュレーション内で自由に変更が可能である。
上記段部１３の幅方向両端部には、周方向に沿って切り込み部１７，１７が形成され、上記溝部１４は、上記段部１３の頂上部１３ａの幅方向中央部に形成されている。
また、外周面部１５には幅方向中央部の山部１６から互いに所定寸法離間して山部１６，１６が形成されている。
なお、上記山部１６の数については、使用タイヤ及びレース環境等に応じて自由に変更することができる。
【００２３】
また、図２は、本実施例に係るタイヤ充填材１０とタイヤホイール２０及びタイヤ２１を分解した状態を示す斜視図である。
上記タイヤホイール２０は幅方向車体側端部に底面２２を有する有底円筒形に形成され、中心部には車軸貫通孔（図２には図示せず）が設けられると共に、外周面部２３の幅方向両端部には、周方向に沿って凸部２６が形成されている。
上記タイヤ充填材１０の段部１３の幅寸法は、上記凸部２６の離間寸法に合わせて形成され、上記タイヤ充填材１０をタイヤホイール２０に装着した場合に、上記段部１３が上記凸部２６に嵌合して固定されるように形成されている。
また、上記タイヤホイール２０の外周面部２３には、上記タイヤ充填材１０を装着した状態において、上記タイヤ充填材１０の溝部と重なる位置に空気逃がし用孔部２４が形成されている。
また、タイヤ２１はゴム製であり、本実施例に係るタイヤ充填材１０の外形寸法と略同一の内径寸法を有している。
【００２４】
以下に本実施例の作用について添付図面を用いて説明する。
図３は、本実施例に係るタイヤ充填材１０をタイヤ２１とタイヤホイール２０との間に装着した状態を示す径方向断面図である。
図３に示すように、上記タイヤ充填材１０は上記タイヤホイール２０の外周面部２３を被覆するように装着され、タイヤ２１の内部に配置される。
上記タイヤ充填材１０の筒体１１の外周面部１５の山部１６，１６，１６の頂上部はそれぞれタイヤ２１の内周面部２５に周方向に沿って当接している。
【００２５】
また、上記筒体１１の内周面部１２の段部１３は上記タイヤホイール２０の外周面部２３に当接し、溝部１４と空気逃がし用孔部２４が重なって配置されている。
【００２６】
上記のように、タイヤ２１の内周面部２５と、タイヤ充填材１０が線接触によって当接することから、面接触で当接する場合と比較して、走行時に路面から受けた衝撃をより柔軟に吸収することができる。
【００２７】
また、ポリウレタンを一旦ゲル化した上で発泡させることから、スポンジ状の従来品と比較して、定形性が高く、走行時においてもズレ、捩れが発生し難い。
また、スポンジ状の従来品と比較して、内部の気泡が細かいことから、タイヤの高速時に径方向外方に大きな遠心力受けた場合であっても、膨らみ難く、タイヤ充填材１０が膨張することを抑制することができる。
従って、より安定した走行が期待できる。
【００２８】
なお、本実施例におけるタイヤ充填材の各寸法については、対応するレギュレーションの内容に従っていれば、特に制約は無い。
また、溝部及び段部等の幅、高さ等についても、使用するタイヤ及びタイヤホイールの形状に合わせて変形が可能である。
【産業上の利用可能性】
【００２９】
ラジオコントロールカーのタイヤとタイヤホイールとの間に配置され、走行時のタイヤへの衝撃を吸収するラジオコントロールカーのタイヤ充填材に適用することができる。
【符号の説明】
【００３０】
１０  タイヤ充填材
１１  筒体  
１２  タイヤ充填材（筒体）の内周面部
１３  段部
１３ａ段部の頂上部
１４  溝部
１５  タイヤ充填材（筒体）の外周面部
１６  山部
１７  切込み部
２０  タイヤホイール
２１  タイヤ
２２  タイヤホイール底面
２３  タイヤホイールの外周面部
２４  空気逃がし用孔部
２５  タイヤの内周面部
２６  タイヤホイールの凸部
【図１】
0003158859.tif 000003
【図２】
0003158859.tif 000004
【図３】
0003158859.tif 000005
【手続補正書】
【提出日】平成22年2月3日(2010.2.3)
【手続補正１】
【補正対象書類名】実用新案登録請求の範囲
【補正対象項目名】全文
【補正方法】変更
【補正の内容】
【実用新案登録請求の範囲】
【請求項１】
ラジオコントロールカーのタイヤホイールの外周面部に装着され、上記タイヤホイールとタイヤとの間に配置されるタイヤ充填材であって、 全体筒体に形成され、ゲル化したポリウレタンを、モールド内で発泡させて型成形することによって形成された発泡ポリウレタン部材からなることを特徴とするタイヤ充填材。
【請求項２】
上記筒体は、所定の厚さ寸法を有し、上記筒体の内周面部における幅方向には、所定の幅寸法に亘る段部が、周方向に沿って形成されると共に、上記段部の幅方向中央部には、周方向に沿って溝部が形成されていることを特徴とする請求項１記載のタイヤ充填材。
【請求項３】
上記筒体の外周面部には、周方向に沿った山部が、幅方向に沿って所定間隔離間して複数形成されていることを特徴とする請求項２記載のタイヤ充填材。
【請求項４】
上記タイヤ充填材は、任意の上記溝部において周方向に沿って切断することにより、幅方向寸法を変更することが可能であることを特徴とする請求項３記載のタイヤ充填材。
【手続補正２】
【補正対象書類名】明細書
【補正対象項目名】０００８
【補正方法】変更
【補正の内容】
【０００８】  上記課題を解決するために、請求項１に記載した考案に係るタイヤ充填材は、ラジオコントロールカーのタイヤホイールの外周面部に装着され、上記タイヤホイールとタイヤとの間に配置されるタイヤ充填材であって、全体筒体に形成され、ゲル化したポリウレタンを、モールド内で発泡させて型成形することによって形成された発泡ポリウレタン部材からなることを特徴とする。
【手続補正３】
【補正対象書類名】明細書
【補正対象項目名】００１０
【補正方法】変更
【補正の内容】
【００１０】  また、請求項２に記載した考案に係るタイヤ充填材は、所定の厚さ寸法と、上記タイヤに収納されうる幅寸法を有し、上記筒体の内周面部における幅方向には、所定の幅寸法に亘る段部が、周方向に沿って形成されると共に、上記凸部の幅方向中央部には、周方向に沿って溝部が形成されていることを特徴とする。
【手続補正４】
【補正対象書類名】明細書
【補正対象項目名】００１６
【補正方法】変更
【補正の内容】
【００１６】  請求項１の考案にあっては、全体筒体に形成され、タイヤ充填材がゲル化したポリウレタンを、モールド内で発泡させて型成形することによって形成された発泡ポリウレタン部材からなることから、形状安定性に優れ、タイヤとホイールとの間に均一に配置されるため、全域で高い衝撃吸収性能を有し、且つ走行時においても変形し難く、安定した走行が可能なタイヤ充填材を提供することができる。
【手続補正５】
【補正対象書類名】明細書
【補正対象項目名】００１７
【補正方法】変更
【補正の内容】
【００１７】  また、請求項２の考案にあっては、所定の厚さ寸法と、上記タイヤに収納されうる幅寸法を有し、上記筒体の内周面部における幅方向には、所定の幅寸法に亘る段部が、周方向に沿って形成されると共に、上記凸部の幅方向中央部には、周方向に沿って溝部が形成されていることから、請求項１の効果に加え、上記溝部から上記孔部を介して空気が出入り可能であるため、タイヤの受けた衝撃をより効率的に吸収することができる。